(57)【要約】      （修正有）【課題】火力発電所で微粉炭を燃すと膨張した熱い燃焼ガスが出るその燃焼ガスを容積形流体モータに通して容積形流体モータを回転させて発電させて残りの力を圧縮機を回わす。残った熱で蒸気を発生させてタービンを回わして発電させる、が容積形流体モータのロータに使うシールを奥から反発手段で押し反発手段は熱に弱くそして容積形流体モータに高圧のガスがかかるので高圧に負けない反発力の材料を選ぶか又は負けない反発手段とする【解決手段】反発手段を何層かの冷却手段で囲い、そして冷却手段は動かない方が良い、反発力を増す手段としてはてこの原理又はパスカルの原理（小さい受圧面積の流体を押すと大きな受圧面積に動きは小さいが大きな力が出る）等を利用する。【選択図】図１
2011007173.tif 000002
【特許請求の範囲】
【請求項１】
火力発電所等で使う容積形流体モータは高温で高圧に耐え２葉のロータを２個組み合せて互いに接っしながら反対方向に回転しロータ側枠外へ出した各各の回転軸に同等のギアを設けて噛み合わせ外側から断面略半円形の２枚のロータ枠を吸入口と排出口の間を設けて向かい合わせて又は３葉のロータを２個組み合せて互いに接っしながら反対方向に回転し側枠より出した回転軸を各各同等のギヤを設けて噛み合せ外側から断面略半円形のロータ枠を２枚向かい合せて間を設けてかぶせ間の１方を吸入口とし間の他方を排出口としロータの先端及びロータの入り曲面に設けるシールの奥側から外側に向けて押し出し手段が部材の各各のせん断変形の生じる反発手段の部材を動かない枠の何層かの冷却手段で囲う事を特徴とした冷却囲い反発機。
【請求項２】
シリンダー（１２３）内に液体（１２５）を液体流通管（１４１）を通って圧力のある液体を利用した反発手段を動かない枠の何層かの冷却手段で囲う事を特徴とした冷却囲い反発機。
【請求項３】
液体（１２５）の中に伸縮可の気泡（１６３）、（１６４）、（１２６）を設ける事を特徴とした請求項２記載の動かない枠の何層かの冷却手段で囲う事を特徴とした冷却囲い反発機。
【請求項４】
１段囲い枠（２５８）の中に任意により設ける摩耗減少手段（２５９）（２２９）を介して反発材（２３０）を設けて反発材を動かない枠の何層かの冷却手段で囲う事を特徴とした請求項１記載の冷却囲い反発機。
【請求項５】
反発材（２３０）の中に気泡（２６０）、（２６１）を設ける事を特徴とした請求項４記載の冷却囲い反発機。
【請求項６】
シリンダー（３３２）の中に気体（３３３）を入れて動かない枠の何層かの冷却手段で囲う事を特徴とした請求項１記載の冷却囲い反発機。
【請求項７】
反発手段に反発力を増す手段を介して押し部（４０１）そして押され部（４００）の反発力を増した事を特徴とした請求項１、２、３、４、５、６記載の冷却囲い反発機。
【請求項８】
板バネ（４２７Ｌ）、（４２５Ｌ）、（４２６Ｌ）、（４２８Ｌ）、（４２９Ｌ）、（４３０Ｌ）のたわみの反発手段を動かない枠の何層かの冷却手段で囲う事を特徴とした冷却囲い反発機。
【請求項９】
たわみの反発手段に反発力を増す手段を介して押し部（４０１）、押され部（４００）の反発力を増す事を特徴とした請求項８記載の冷却囲い反発機。
【請求項１０】
円盤プレートバネ（４２５）、（４２６）、（４２７）、（４２８）、（４２９）、（４３０）のたわみの反発手段を動かない枠の何層かの冷却手段で囲いたわみの反発手段にに反発力を増す手段を設ける事を特徴とした請求項１記載の冷却囲い反発機。
【発明の詳細な説明】
【技術分野】
【０００１】反発手段は熱に弱いので熱い所でも反発力が落ちない事そして高圧のかかる所に用いるので通常の反発力よりかなり強くする。
【背景技術】
【０００２】平成２１年５月３１日特許出願Ｙ００００ＯＤ３−３。実願２００７−３３２８等がある。
【発明の開示】
【発明が解決しようとする課題】
【０００３】火力発電所で微粉炭を燃やすと膨張した燃焼ガスと熱が出ますが高圧で高温の燃焼ガスを何台かの容積形流体モータに通して容積形流体モータを回転させるが容積形流体モータは２葉又は３葉のロータで同じ形のロータを２個接っしながら反対方向に等角回転し両側枠の１方から出した各各の回転軸に同等のギアを設けて噛み合わせ外側から断面略半円形ロータ枠を２枚間を設けて向かい合せ上記間の１方を吸入口とし他方を排出口とする。そのロータの２葉又は３葉のロータの先端部又は各各のロータの略入曲面に設けるシールでシールは奥側にひっかかりを設けていくらか引っ込むが必要以上に出ない手段としそのシールを外側に押し出す時金属の反発手段は熱で反発力を失ない又高圧の燃焼ガスを利用するので熱の事を考えなくとも単位面積当りのシール面積だと金属性せん断変形の反発手段だとシール面積以上のバネの太さが収まるバネスペースが必要であるのでシール面積に対する圧力がシール面積以内に収まるバネの太さを最大にしてもとても反発しきれないので反発力を増す手段を設ける。そして反発手段を熱から守ってやる。冷却囲い枠が動かない事により金層ひろうを生じさせない。らせんバネはねじり反発を利用し、ねじりはバネの表面が最大のせん断変形しバネの芯はせん断変形は無となる。
【課題を解決するための手段】
【０００４】らせんバネ又は板バネ４２５Ｌ、４２６Ｌ、４２７Ｌ。４２８Ｌ。４２９Ｌ。４３０Ｌ等又は液体に圧力をかけて液体の中に気体部を入れたもの又は気体に圧力をかけたもの又は反発材の中に気泡を入れたものを反発支持２５、１２８、２３１、３６４、４５７、５２５、６１９等を介して反発支持軸３４、１４０  ２４１、３５２、４４６、５４０、６３４等で支持し反発手段に直結又は連結して反発受け、２２、１２０、２２７、３２５、４６４、等を設けて反発受けにてこの原理又はパスカルの原理等の原理を組み合せて反発力を増す事によりシール部の面積内で反発手段を設ける事が出来る。【０００５】反発手段２４、４８、５０、１２５、１２６、１６４  １６３、２３０、２６０、２６１、３３３等に増力手段を組み合せて外側から何層かの枠を設けてその空間に冷却液を流して反発手段と増力手段を熱から守る事により反発力が落ちない。電気を通すと冷える金属を任意の所に用いて冷却手段とする事もある【０００６】円盤プレートバネ４２５、４２６、４２７、４２８、４２９  ４３０等のたわみの反発手段に反発力を増す手段としてはてこの原理を組み合せて外側から何層かの冷却手段で囲うか又は電気を通すと冷える金属を任意の所に用いて冷却手段とする事もある。【０００７】板バネ５１４、５１５、５１７、５１８、５１９、５２０、５２２、５２３等のたわみの反発手段で全板バネの上方の端に上中押し５１３を設け、下の端に下中押し５２４を設け１置毎に中押し５６２を設け上中押し５１３の  に何枚かの板バネ５１４、５１５等を当ててその端に端押し５６３、５１６等を設けて端押しに何枚かの板バネ５１７、５１８等を設けて板バネの中程に中押し５６２を設けて上記のような事を何回かくり返えして下段の板バネ５２２、５２３等を下中押しで５２４で支持する。外側から何層かの囲い枠で囲っって囲い枠に冷却水を通して板バネを熱から守るか又は何層かの囲い枠を電気を通すと冷える金属を用いて板バネを熱から守る事もある。【０００８】反発材６４５に気泡６１８を点在させて１方を反発支持６１９に支持させて反対側に反発受け６１１を介させてそして押し部６５８を介して押され部６００から来る圧力に抵抗し気泡を点在させた反発材の周囲に横に帯状に薄い金属板を張るか又は任意の形の薄い金属性の板を点在させて張る。その外側に反発材に張った薄い金属の外側に接して又は僅かな隙間を設けて内側の冷却手段囲い枠を設け順次間を設けて冷却手段囲い枠を何層か設ける。又何層かの冷却手段の囲い枠を電気を通すと冷える金属で囲う事もある【０００９】任意の所に伸縮調整部を設けて押され部１００、２００、３００、４００、５００、６００等の先端のシールの出入の微調整が出来る事とする。
【発明の効果】
【００１０】反発材を何層かの冷却液で囲うか又は何層かの電気を通すと冷える金属で囲う事により反発材の反発力が落ちない。
そして反発材に増力手段を組み合せる事により高圧に対抗するシールの働きが落ちない。なお気泡入り反発材又は円盤プレートバネは増力手段を組み合せなくともシールの働きは落ちないと思います。
【発明が実施するための最良の形態】
【００１１】らせんバネ５０、２４、４８、等の１方に反発支持２５を介して反発支持軸３４で受けらせんバネ他端に反発受け２２を設けて反発受けを増力手段（てこの原理）を反発支持２５に直結した１列囲い枠１４に支点１方１８と支点他方５４を回転可に結合し支点１方１８にてこ１方１９を結合して途中に板押１方１７を設けててこ１方の先端あたりに調整ラック１方５１を回転可に結合しそして支点他方５４にてこ他方５２をを結合して途中に板押他方５３を設けててこ他方の先端あたりに調整ラック他方２５を回転可に結合しててこ１方の先端とてこ他方の先端の略中間に設けた調整ギア２０に各各噛み合せる。
【００１２】てこ１方の先端及びてこ他方の先端を反発受け２２で押し当てそして板押１方１７と板押他方５３及び奥板押１方１７Ｂ、奥板押他方５３Ｂを設けて押し部板１６を押して押し部３を介して押され部１を押す反発支持２５に立１列囲い枠１４を固着し上１段囲い枠６及び押し部囲５７と上２段囲い枠５と立２列囲い枠１３、下２段囲い枠３８を１体にし反発支持軸３４に結合しそして前、押し部囲５７に残りの押し部囲い５７と結合して上３段囲い枠４と立３列囲い枠１０と下２段囲い枠４０と１体化して下２段囲い枠４０と反発支持軸３４を固着する。
【００１３】上１段囲い枠６と上２段囲い枠５の間の上２段空間６６と立１列囲い枠１４と立２列囲い枠１３の間の立１列空間２９と反発支持２５と下１段囲い枠３８の間の下１段空間３６と１連化し１段空間流入口４２の冷却液が通路４７を通ってそして下１段空間３６を通って通路３１を通って１段空間排水口３３に流れそして立１列空間２９を通って上２段空間６６を通って立１列空間２９を通って１段空間排水口３３に流れそして上２段囲い枠５と上３段囲い枠４の間の上３段空間６７と立２列囲い枠１３と立３列囲い枠１０の間の立２列空間３０と下１段囲い枠３８と下２段囲い枠４０の間の下２段空間３５を１通化し２段空間流入口４３から通路４６を通って下２段空間３５を通って通路２６を通って２段空間排水口２８に冷却液が流れそして別ルートとして２段空間流入口４３から通路４６を通って立２列空間を通って上２段空間を通って立２列空間３０を通って通路２６を通って２段空間排水口に冷却液が流れる。
【００１４】上３段囲い枠４と押し部支持８の間の上３段空間６８と立３列囲い枠１０とロータ基体４９の間の立３列空間２３、と下３段囲い枠４０とロータ基体の間のＴ３段空間３つを出来れは１通化する、そして下１段空間の端及び下２段空間の端及び下３段空間の端の略等間隔に３点以上振れ止め６５、６４、６３、６０、６１、６２等を設ける。バネスペースが四角の時は立１列囲い枠と反発支持２５の３方出角と下２段囲い枠３８と立２列囲い枠１３の３方入角に下１段振れ止め６５と６０を４個所以上角部も含めて設け、下２段囲い枠３８と立２列囲い枠１３の３方出角の所と下３段囲い枠４０と立３列囲い枠１０の３方入角の所に下２段振れ止め６１、６４を４個以上角部も含めて設け、下３段囲い枠４０と立３列囲い枠１０の３方出角とロータ基体の入角に下３段振れ止め６３、６２等角部も含めて４個所以上設ける。上段部は立１列囲い枠の出角部と立２列囲い枠の入角部も含めて４個所以上内振れ止めを設け立２列囲い枠の出角部を含めて立３列囲い枠１０の入角部を含めて４個所以上中振れ止めを設け立３列囲い枠１０の出角部を含めてロータ基体４９の入角部を含めて４個所以上外振れ止め５６、９等を設ける。又バネスペースが円形に戻るが上部にも立１列空間及び立２列空間及び立３列空間の各各円周に３点以上に略等間隔に振れ止め５９、５８、５６、１２、２、９等を設ける
【実施例】
【００１５】流体に抵抗するピストンには油だめ１６７Ａ、１６９Ａ、１２４Ａ、３２９、３３１等を設ける。１段空間流入口及び２段空間流入口又は必要により１段空間排出口及び２段空間排水口を断熱材で囲う１段空間流入口は複数本設け又２段空間流入口も複数本設ける事もあり、そして１段空間排出口あるいは２段空間排出口を複数本設ける事もあり最下段空間のロータの基体３９から押し部３、１７８、２０３、３０２、６５８、４０１、５６１等上端までのどこでも良いのですが微調整伸縮を設けるのですが出来れば押し部の任意の所が良い、電気を通すと冷える金属を任意の所に設けても良いが出来れは３重枠から４重枠位の枠数で反発手段及び増力手段を囲った方が良い。【００１６】板押１方１７、２１７、３１７、４１５、７９Ｗ等及び奥板押１方１７Ｂ、２１７Ｂ、３１７Ｂ、４１５Ｂ、７９Ｙ等及び板押し他方５３、２６９、３７３、４６９、７９Ｖ等及び奥板押し他方５３Ｂ、２６９Ｂ、３７３Ｂ、４６９Ｂ、７９Ｘ等の各各に微調整出入を設けるか又は押し部板１６、２１０、３０９、４１４、８９等と板押し１方及び奥板押し他方及び板押し他方及び奥板押し他方と当たる所の押し部板の方を凹調整か凸調整を設けても良い。てこ１方１９、１１８、２１９、３１９、７７Ｗ等の先端そして奥てこ１方１９Ｂ、１１８Ｂ、２１９Ｂ、３１９Ｂ、７７Ｙ等の先端そしててこ他方５２、１７０、２６７、３２２、７７Ｖ等の先端そして奥てこ他方５２Ｂ、１７２Ｂ、２６７Ｂ、３２２Ｂ、７７Ｘ等の先端と当たる所の反発受２２、２２７、３２５、４６４、６１１、９２等の所に少なくともどちらか１方に微調整手段を設ける。上記各各微調整手段はネジ又はくさび又はパッキン又はウォームギアのネジとする。【００１７】立１列囲い枠及び立２列囲い枠及び立３列囲い枠の横断面形はだいたいは円形であるがらせんバネだけは横断面形は多角形でも良いと思う。円形は高圧に耐えられるが多角形は高圧に耐える形ではない部材に曲げが生ずるそして振れ止めも下は３個所以上で略等間隔とし上部も３個所以上で略等間隔とする。反発材６４５に耐摩耗手段を点在させて立１列囲い枠と摺接させる。
反発材６４５を圧縮すると気泡の中に１部反発材が入って戻る事により反発可となる。【００１８】シールを押す押され部４００に押し部４０１を介して押し部板４１４に連結し押し部板４１４にてこ１方４１６に設けた板押し１方４１５で支持させそしててこ他方４６７に設けた板押し他方４６９で押し部板４１４の１部を支持しそして奥側の両てこの各各のてこに設ける奥板押し１方４１５Ｂそして奥板押し他方４６９Ｂで押し部板４１４の残り全部を押す。
支点１方から板押１方４１５の位置より長くしたてこ１方の先端に回転可に調整ラック１方４６６を結合し支点他方４６８から板押他方４６９の位置より長くしたてこ他方の先端に回転可に調整ラック他方４２４を結合して中程に調整ギア４２３を介して噛み合わせる。奥側に支点１方４７４近くに奥板押１方４１５Ｂを設けた奥てこ１方４１６Ｂの先端に回転可に奥調整ラック１方を設けて奥調整ギア４２３と噛み合わせ支点他方４６８に近くに奥板押他方４６９Ｂを設けた奥てこ他方４６７Ｂの先端に回転可に奥調整ラック他方を設けて上記奥調整ギア４２３の反対側に噛み合せる。【００１９】てこ１方の先端及びてこ他方の先端及び奥てこ１方の先端及び奥てこ他方の先端の各各に微調整を設けて反発受け４６４を押し反発受け４６４に上中押し４６３と下中押し４４７の間に何層かの１郡の円盤プレートバネ４２５、４２６、４２７、４２８、４６０、４５９、４２９、４３０等の間にリング押し４６２、４５８等次に中押し４６１を交互に設けて反発力を発生させて伝達手段とし円盤プレートバネの外側に座屈止め４３１を少なくとも３個所以設けてその外側に何層かの囲い枠を設けて反発支持４５７に間を設けて外側から円盤プレートバネから増力手段から押し部板４１４より間を設けて外側まで囲ってやる。
反発支持軸４４６と何層かの囲い枠の取り合い部は結合し上部の押し部４０１と囲い枠の取り合い部は押し部４０１にスライド可に押し部囲い４７３を設けて押し部囲い４７３に何層かの囲い枠を結合する。
上部の任意の所に振れ止め４７０、４７１、４７２、４１１、４１２、４１３等に１連の空間に３個所以上設ける。そして下部の任意の所に振れ止め４５４、４５５、４５６、４３４、４３３、４３２等１連の空間に３所以上設ける、何本かの流入口４４９、４５１等に通路４４８、４５３等を設けて冷却液で何層かの囲い枠の間の空間に通して何本かの排水口４３９、４３６等に流して冷却して反発手段を熱から守っやる。１番外側の空間に冷却液を通さないで冷却をロータ基体に逃げさせない事とする事もある。リング押４６２、４５８はリング上に凸部を点在する事もある。円盤プレートバネの替りに板バネ４２５Ｌ、４２６Ｌ、４２８Ｌ、４２９Ｌ、４３０Ｌ等を用いる事もある。何層かの囲い枠に電気を通すと冷える金層で囲う事もある。
何層かの囲い枠の任意の所に振れ止めを、設ける事もある。
【産業上の利用可能性】
【００２０】火力発電所で微粉炭を燃すと膨張した熱い燃焼ガスが出ます。膨張した燃焼ガスを容積形流体モータに通して容積形流体モータを回転させて１部を発電にまわし残りを圧縮機を回転させて熱で蒸気を発生させてタービンを回転させて発電させる。容積形流体モータのロータに設けるシールを反発手段で押す部分。
【図面の簡単な説明】
【００２１】
【図１】せん断変形バネの増力と冷却の組み合せ図。
【図２】Ａ−Ａ断面図．Ｄ−Ｄ断面図．Ｅ−Ｅ断面図  Ｇ−Ｇ断面図．Ｉ−Ｉ断面図．Ｍ−Ｍ断面図。Ｐ−Ｐ断面図．
【図３】Ａ′−Ａ断面図．
【図４】Ｂ−Ｂ断面図．Ｃ−Ｃ断面図．Ｆ−Ｆ断面図．Ｈ−Ｈ断面図．Ｊ−Ｊ断面図。
【図５】Ｂ′−Ｂ′断面図．Ｃ′−Ｃ′断面図．
【図６】せん断変形バネの増力と冷却の組み合せ図。
【図７】流体反発の増力と冷却の組み合せ図。
【図８】反発材の増力と冷却の組み合せ図。
【図９】気体反発の増力と冷却の組み合せ図。
【図１０】曲げ反発の増力と冷却の組み合せ図。
【図１１】Ｋ−Ｋ断面図
【図１２】Ｌ−Ｌ断面図
【図１３】板バネの反発手段と冷却を組み合せた図
【図１４】Ｎ−Ｎ断面図
【図１５】反発材を冷却枠で囲った図。
【符号の説明】
【００２２】押され部          １、１００、２００、３００、４００、５００、６００
押し部            ８３、３、１７８、２０３、３０２、４０１、５６１、６５８
押し部支持        ８、１７９、２０１、２１３、３７８、８８、４０３、５０１、６５６
上２段調整空間    ７、２１２、８７、１８０、２１２、３７９、４０２  ５６０、６５７、
外振れ止め        ９、５６、１０９、１７３、２１６、２７０、３１２、３７５、６０９、６５２、４７０、４１３、５１０、５５６、９５Ｘ、９５Ｖ
中振れ止め        ２、５８、１７５、１０８、２７１、２１５  ３７６、３１１、４１２、４７１、５０９  ５５７、６０８、６５３、
内振れ止め        １２、５９、９５Ｙ、９５Ｗ、１０７、１７６  ２１４、２７２、３１０、３７７、４１１  ４７２、５０８、５５８、６０７、６５４
押し部囲い        ５７、１７７、２７３、３０１、４７３、５５９、６５５、９３Ｘ
上１段囲い枠      ９３Ｖ、６、１０５２０９、３０７、４０９、５０７、６０６
上１段調整空間    ５５、１８１、２１１、３０８、４１０、５１１、６１０、８２
上２段囲い枠      ９３Ｗ、５、１０３、２０７、３０５、４０７、５０５、６０４
上３段囲い枠      ４、１０１、２０５、３０３、４０５、５０３、６０２
上１段空間        ６６、１０４、２０８、３０６、４０８、５０６、６０５
上２段空間        ６７、１０２、２０６、３０４、４０６、５０４、６０３
上３段空間        ６８、１０６、２０４、３８０、４０４、５０２、６０１
立１列囲い枠      １１３、１４、１５７、２２０、２５８、３１３、３７２、７２Ｖ  ４１７、４１７Ｌ、５５５、６１２、６５１、７２Ｗ
立１列空間        ２９、１１５、２２１、３１４、３７１、４１８、４１８Ｌ、５５４  ６１３、６５０、７２Ｘ
立２列囲い枠      １３、１１４、１５９、２２２、２５６、３１５、３７０、４１９  ４１９Ｌ、５５３、７１Ｗ、６１４、６４９、７１Ｖ
立２列空間        ３０、１１６、２２３、３１６、３６９、４２０、４２０Ｌ、５５２、７１Ｘ
立３列囲い枠      １０、１１１、１６０、２５７、３２０、３６８、４２１、４２１Ｌ、５５１  ６６１、６４７
立３列空間        ２３、２２５、１１２、３２１、３６７、４２２、４２２Ｌ、５５０、６１７、６４６、
下１段空間        ３６、９７Ｎ、１８２、２４２、３４４、４４１、５３５、６２９、
下１段囲い枠      ９７Ｖ、１４６、３４５
下２段空間        １４５、９７Ｑ、３５、２４４、３４６、４４３、５３７、６３１
下２段囲い枠      ３８、９７Ｘ、１４４、２４３、３４７、４４２、５３６、６３０
下３段空間        ３７、９７Ｐ、１４３、２４６、３４８、４４５、５３９、６３３、
下３段囲い枠      ４０、１４２、２４５、３４９、４４４、５３８、６３２
下４段空間        １８３、３５０
押し部板          ８９、１６、２１０、９２、３０９、４１４、５１２、６１１
押し部ピストン    １６９
支点１方          １８、１１７、２１８、３１８、７８Ｗ、４７４、
支点他方          ５４、１７１、２６８、３７４、６４Ｃ、４６８、７８Ｖ
板押１方          １７、１１０、２１７、３１７、４１５、７９Ｗ
板押他方          ５３、１７２、２６９、３７３、４６０、７９Ｖ
奥板押１方        １７Ｂ、２１７Ｂ、７９Ｙ、３１７Ｂ、４１５Ｂ
奥板押他方        ５３Ｂ、７９Ｘ、２６９Ｂ、３７３Ｂ、４６９Ｂ
てこ１方          １９、７７Ｗ、１１８、２１９、３１８、      、４１６
てこ他方          ５２、７７Ｖ、１７０、２６７、３２２、４６７
調整ラック１方    ５１、７４Ｗ、１６１、２６５、３２３、４６６、
調整ラック他方    ２１、７４Ｖ、１６９、２６６、３２３、４２４
調整ギア          ２０、２０Ｃ、７６、１６８、２２８、３２４、４２３
シリンダー        １２３、３３２、
シリンダヘッド    １２２、１７４、３２８
連結棒            １６６、３２７、
反発ピストン      １２４、３３０
円盤プレートバネ  ４３０、４２９、４５９、４６０、４２８、４２７、４２６、４２５
板バネ            ４２５Ｌ、４２６Ｌ、４２７Ｌ、４２８Ｌ、４２９Ｌ  ４３０Ｌ
上中押し          ４６３、５１３、４６３Ｌ
中押              ４６１
下中押し          ４４７、５２４、４４７Ｌ
リング押し        ４６２、４５８、
端押              ５１６、５２１、５６３、５６４
奥てこ１方        １９Ｂ、１１８Ｂ、２１９Ｂ、３１９Ｂ、７７Ｙ、４１６Ｂ
奥てこ他方        ５３Ｂ、２６９Ｂ、３７３Ｂ、７９Ｘ、４６７Ｂ
奥調整ラック１方  ５１Ｂ、７４Ｙ、１６１Ｂ、２６５Ｂ、３２３Ｂ、４６６Ｂ
奥調整ラック      ２１Ｂ、７４Ｘ、１６９Ｂ、２６６Ｂ、３２３Ｂ、４２４Ｂ
奥調整ギア        ２０Ｂ、２０Ｃ、７６Ｂ、１６８Ｂ、２２８Ｂ、３２４Ｂ  ４２３Ｂ
座屈止め          ４３１
板バネ            ５２３、５２２、５２０、５１９、５１８、５１７、５１５  ５１４
横ズレ防止        ５１２
反発受け          ２２、２２７、３２５、４６４、６１１、９２
可動ふた          １２７、１６２、１６５
バネ              ２４、４８、５０、９６
液体              １２５
油だめ            １６９Ａ、１６７Ａ、３２９、３３１、１２４Ａ
気体              １２６、１６４、１６３、３３３
ピストン          １２４、
小ピストン        １６７
反発支持          ９８Ｘ、２５、１２８、２３１、３６４、４５７、５２５、６１９
反発支持軸        ３４、９８Ｙ、１４０、２４１、３５２、４４６、５４０、６３４
液体流通管        １６１、１４１
気体流通管        ３５１、３５３
下１段振止め      ６０、６５、１３０、１５６、２３２、２５５、３３４、３６３、６４３、６２０、４３２、４５６、９７Ｕ、９７Ｒ
下２段振れ止め    ６１、６４、１３２、１５３、２３３、２５４、４５５  ４３３、３６２、３３５、６４２、６２１、９７Ｓ、９７Ｗ
下３段振れ止め    ６２、６３、１３５、１５４、２３４、２５２、３３６、３６１、４３４、４５４、６２２、６４１、９７Ｔ、９７Ｙ
下４段振れ止め    ３３７、３６０
下２段空間流入口  ４３、１４９、２５１、３５７、６３９、４５１、５４５、
下１段空間流入口  ４２、１４７、２４９、３５６、６３６、４４９、５４２
通路              ４６、４７、３１、２６、１５１、１５２、２５３、２４７  ２４０、２３５、３３８、３３９、３５９、３５４、４５３  ４４８、４４０、４３５、
断熱材            ４４、４１、３２、２７、１５０、１４８、２３９、２３６、２４８、２５０、３５８、３５５、３４３、３４１、５３０、５３４、６３８、６３７、６２８、６２５、４３７、４８３、４５０、４５２、５４５、５４５、
１段空間排水口    ３３、１３８、２３８、３４２、４３９、５３３、６２７
２段空間排水口    ２８、１３６、２３７、３４１、４３６、５３１、６２６
気泡              ２６０、２６１、６４４
ゴム              ２３０、６４５
電気を通すと冷える金属    ９４
てこ１方先端      ７３Ｗ
てこ他方先端      ７３Ｖ
ロータ基体        ７０Ｙ、７０Ｚ
まわし部          ８５
ネジ部            ９０
シールひっかかり１方    ８４Ｗ
シールひっかかり他方    ８４Ｖ
シール部          ８４Ｘ
ギア付ナット      ８６
ギア              ８１、９１
ウォームギア      ８０
ナット押さえ      ８１Ｖ
【図１】
2011007173.tif 000003
【図２】
2011007173.tif 000004
【図３】
2011007173.tif 000005
【図４】
2011007173.tif 000006
【図５】
2011007173.tif 000007
【図６】
2011007173.tif 000008
【図７】
2011007173.tif 000009
【図８】
2011007173.tif 000010
【図９】
2011007173.tif 000011
【図１０】
2011007173.tif 000012
【図１１】
2011007173.tif 000013
【図１２】
2011007173.tif 000014
【図１３】
2011007173.tif 000015
【図１４】
2011007173.tif 000016
【図１５】
2011007173.tif 000017